(57)【特許請求の範囲】
【請求項１】
着用者の身長変化に応じて左右両脚又は左右両腕の長さを同時に調整すべく構成された上下一体型の衣服であって、両脚及び両腕のそれぞれの胴体側から先端部までの間を互いに離間した位置を通って往復するように延設された紐案内筒と、
一端部が両脚の先端部に固定され、脚に設けられた前記紐案内筒内に挿通された後、他端部が紐案内筒から引き出されて背中側又は胸側まで延長された左右一対の脚調節紐と、
当該左右の脚調節紐の引き出された他端部同士を連結した脚紐連結部と、
両腕に設けられた前記紐案内筒の胴体側端部の一方に一端部が固定され、紐案内筒内に挿通されて両腕のそれぞれの胴体側から先端部までの間に互いに離間した位置を通って往復するように配線された後、他端部が他方の胴体側端部から引き出されて背中側又は胸側まで延長された左右一対の腕調節紐と、
当該左右の腕調節紐の他端部同士を連結した腕紐連結部と、
を有することを特徴とする衣服。
【請求項２】
着用者の身長変化に応じて左右両脚又は左右両腕の長さを同時に調整すべく構成された上下一体型の衣服であって、両脚及び両腕のそれぞれの胴体側から先端部までの間を互いに離間した位置を通って往復するように延設された紐案内筒と、
一端部が両腕の先端部に固定され、腕に設けられた前記紐案内筒内に挿通された後、他端部が紐案内筒から引き出されて背中側又は胸側まで延長された左右一対の腕調節紐と、
当該左右の腕調節紐の引き出された他端部同士を連結した腕紐連結部と、
両脚に設けられた前記紐案内筒の胴体側端部の一方に一端部が固定され、紐案内筒内に挿通されて両脚のそれぞれの胴体側から先端部までの間に互いに離間した位置を通って往復するように配線された後、他端部が他方の胴体側端部から引き出されて背中側又は胸側まで延長された左右一対の脚調節紐と、
当該左右の脚調節紐の他端部同士を連結した脚紐連結部と、
を有することを特徴とする衣服。
【請求項３】
着用者の身長変化に応じて左右両脚又は左右両腕の長さを同時に調整すべく、両脚又は両腕の胴体側から先端部までの間を互いに離間した位置を通って往復するように延設された紐案内筒と、
当該紐案内筒の胴体側端部の一方に一端部が固定され、紐案内筒内に挿通されて両脚又は両腕のそれぞれの胴体側から先端部までの間に互いに離間した位置を通って往復するように配線された後、他端部が他方の胴体側端部から引き出されて背中側又は胸側まで延長された左右一対の調節紐と、
両脚又は両腕の左右の調節紐の引き出された他端部同士を連結した連結部と、を有することを特徴とする衣服。
【請求項４】
前記連結部は、布片に左右の調節紐を縫い付けることにより構成されているものであることを特徴とする請求項１から３のいずれか１項に記載の衣服。
【請求項５】
前記連結部は、外部に露出しないようにポケット状の収納部に収納されるように構成されていることを特徴とする請求項１から４のいずれか１項に記載の衣服。
【発明の詳細な説明】
【０００１】
【発明の属する技術分野】
本発明は、着用者（特に子供）の身長の変化に応じて両脚又は両腕の長さを調整できるようにしたスキーウエア等の衣服に関する。
【０００２】
【従来の技術】
従来、着用者の身長の変化（同一人の身長変化に対応する場合と、異なる着用者に対応する場合を含む。）に応じて両脚の長さを調整できるようにしたスポーツウエアとしては、実公平５−２３５２３号公報（実願平１−３０９１６号）に示すようなものが知られている。
この考案は、トンネル布部を両脚に沿って設け、その内部に挿通した紐にて脚の長さを変更するようにしている。
【０００３】
【発明が解決しようとする課題】
しかし、上記のような従来のスポーツウエアにおいては、左右の脚の長さを別々に調節しているため、左右の脚の寸法の調節に手間がかかるという問題や、寸法の固定のための構造が複雑になるという問題があった。
【０００４】
そこで、本発明の目的は、簡易な構造で、左右の脚又は腕の長さ（寸法）を同時に簡単に調節することができるスポーツウエア、ジャケット、ズポン等の衣服を提供することにある。
【０００５】
【課題を解決するための手段】
請求項１に記載の発明は、「着用者の身長変化に応じて左右両脚又は左右両腕の長さを同時に調整すべく構成された上下一体型の衣服であって、両脚及び両腕のそれぞれの胴体側から先端部までの間を互いに離間した位置を通って往復するように延設された紐案内筒と、一端部が両脚の先端部に固定され、脚に設けられた前記紐案内筒内に挿通された後、他端部が紐案内筒から引き出されて背中側又は胸側まで延長された左右一対の脚調節紐と、当該左右の脚調節紐の引き出された他端部同士を連結した脚紐連結部と、両腕に設けられた前記紐案内筒の胴体側端部の一方に一端部が固定され、紐案内筒内に挿通されて両腕のそれぞれの胴体側から先端部までの間に互いに離間した位置を通って往復するように配線された後、他端部が他方の胴体側端部から引き出されて背中側又は胸側まで延長された左右一対の腕調節紐と、当該左右の腕調節紐の他端部同士を連結した腕紐連結部と、を有することを特徴とする衣服。」である。
【０００６】
本発明は、上下一体型のスポーツウエア等の衣服において、両脚の寸法を調節する際に、脚の紐案内筒内に挿通された脚調節紐の外部に引き出された他端部を適宜さらに引き出す。このとき、その紐の他端部は脚紐連結部によって連結されているため、左右の脚調節紐は、同時に略同量だけ簡単に引き出される。
そこで、脚調節紐を結んで、衣服内に戻らないようにすると、脚を短く調節した状態が維持される。
【０００７】
さらに、両腕の寸法を調節する際には、腕の紐案内筒内に挿通された腕調節紐の外部に引き出された他端部を適宜さらに引き出す。このとき、その紐の他端部が腕紐連結部によって連結されているため、左右の腕調節紐は、同時に略同量だけ簡単に引き出される。
そこで、引き出された左右の腕調節紐を結んで、衣服内に戻らないようにすると、腕を短く調節した状態が維持される。
【０００８】
この衣服は、紐案内筒を互いに離間した位置を通るように往復させて設けているため、その内部の調節紐によって両脚及び両腕の長さがスムーズにバランス良く調節される。
【０００９】
請求項２に記載の発明は、「着用者の身長変化に応じて左右両脚又は左右両腕の長さを同時に調整すべく構成された上下一体型の衣服であって、両脚及び両腕のそれぞれの胴体側から先端部までの間を互いに離間した位置を通って往復するように延設された紐案内筒と、一端部が両腕の先端部に固定され、腕に設けられた前記紐案内筒内に挿通された後、他端部が紐案内筒から引き出されて背中側又は胸側まで延長された左右一対の腕調節紐と、当該左右の腕調節紐の引き出された他端部同士を連結した腕紐連結部と、両脚に設けられた前記紐案内筒の胴体側端部の一方に一端部が固定され、紐案内筒内に挿通されて両脚のそれぞれの胴体側から先端部までの間に互いに離間した位置を通って往復するように配線された後、他端部が他方の胴体側端部から引き出されて背中側又は胸側まで延長された左右一対の脚調節紐と、当該左右の脚調節紐の他端部同士を連結した脚紐連結部と、を有することを特徴とする衣服。」である。
【００１０】
ここで、この衣服は、上下一体型の衣服であっても、上半身のみの衣服（ジャケット等）又は下半身のみの衣服（ズボン）であってもよく、上下一体型の衣服の場合は、脚及び／又は腕の長さを調整するようにし、上半身のみの衣服の場合には専ら腕の長さを調整するようにし、下半身のみの衣服の場合には専ら脚の長さを調整するようにするものである。
【００１１】
尚、本明細書中において、「胸側」とは、上下一体型、下半身又は上半身のみの衣服の形状に応じ、胸部又は腹部に対応する位置を広く意味するものであり、実際の衣類の設計又はデザインに応じて適宜変更されるものである。
同様に、「背中側」とは、背中の上部（首の近辺）から腰の部分までを広く意味し、実際の衣類の設計又はデザインに応じて適宜変更されるものである。
【００１２】
本発明の衣服においては、両脚の寸法を調節する際には、前記請求項１の発明と同様に脚の紐案内筒内に挿通された脚調節紐の他端部を適宜さらに引き出す。このとき、その紐の他端部が互いに連結されているため、左右の脚調節紐は、同時に略同量だけ簡単に引き出される。そこで、脚調節紐を結んで、衣服内に戻らないようにすると、脚を短く調節した状態が維持される。
【００１３】
さらに、両腕の寸法を調節する際には、腕の紐案内筒内に挿通された腕調節紐の外部に引き出された他端部を適宜さらに引き出す。このとき、その紐の他端部が互いに連結されているため、左右の腕調節紐は、同時に略同量だけ簡単に引き出される。そこで、引き出された左右の腕調節紐を結んで、衣服内に戻らないようにすると、腕を短く調節した状態が維持される。
【００１４】
請求項３に記載の発明は、「着用者の身長変化に応じて左右両脚又は左右両腕の長さを同時に調整すべく、両脚又は両腕の胴体側から先端部までの間を互いに離間した位置を通って往復するように延設された紐案内筒と、当該紐案内筒の胴体側端部の一方に一端部が固定され、紐案内筒内に挿通されて両脚又は両腕のそれぞれの胴体側から先端部までの間に互いに離間した位置を通って往復するように配線された後、他端部が他方の胴体側端部から引き出されて背中側又は胸側まで延長された左右一対の調節紐と、両脚又は両腕の左右の調節紐の引き出された他端部同士を連結した連結部と、を有することを特徴とする衣服。」である。
【００１５】
従って、この衣服は、調節紐の連結部を引き出すことにより、脚又は腕の長さを調節できる。さらに、この衣服は、請求項１又は２に記載の衣服と同様に、紐案内筒を互いに離間した位置を通るように往復させて設けているため、その内部の調節紐によって両脚又は両腕の長さがスムーズにバランス良く調節される。
【００１８】
請求項４に記載の発明は、「前記連結部は、布片に左右の調節紐を縫い付けることにより構成されているものである請求項１から３のいずれか１項に記載の衣服。」である。従って、調節紐の端部を引き出す作業が容易となる。
【００１９】
請求項５に記載の発明は、「前記連結部は、外部に露出しないようにポケット状の収納部に収納されるように構成されている請求項１から４のいずれか１項に記載の衣服。」である。従って、衣服の使用中に、調節紐が何かに引っかかったりすることがなく安全である。又、１つの収納部内に調節紐をまとめて収納すれば、脚と腕の長さを効率よく速やかに調節できる。
【００２０】
【発明の実施の形態】
本発明をスキー又はスノーボード等のスポーツに使用するスポーツウエアに具体化した一実施例について図面に従って説明する。
本発明を具体化したスポーツウエア１は、図１から図４に示すように、着用者の身長変化に応じて両脚２及び両腕３の長さを同時に調整すべく構成された上下一体型の衣服であって、両脚２の胴体側から先端部まで互いに離間した位置を通って往復するように延設された左右一対の紐案内筒４を備えている。
さらに、スポーツウエア１は、前記両腕３の胴体側から先端部まで往復するように延設された左右一対の紐案内筒５を備えている。
【００２１】
この脚２の紐案内筒４は、細長い布片を二つ折りにして各脚２の左右両端部の縫合部分に（即ち、各脚２の内側と外側の互いに離間する位置に配置されるように）縫い付けることによって設けられている。同様に、腕３の紐案内筒５は、各腕３の前後の縫合部分に（即ち、正面側と背中側の互いに離間する位置に配置されるように）縫い付けることによって設けられている。
【００２２】
前記左右の脚２の各紐案内筒４の内部には、脚調節紐６が挿通されている。この脚調節紐６は、一端部６ａがそれぞれ両脚２の先端部に固定され、脚２の紐案内筒４内に挿通された後、他端部が紐案内筒４から引き出されて背中側まで延びている。そして、背中に設けられた２つの透孔７から外部に引き出された当該左右の脚調節紐６の４つの他端部は、布片からなる脚紐連結部Ａに全て縫い付けられている。
【００２３】
前記脚調節紐６は、腰の部分の左右両端部と背中側の中央部に固定された短い紐等からなるループ状のガイド８に挿通された後、前記透孔７からウエア１の外側まで引き出されている。従って、脚調節紐６によって腰の部分を適度に締め付けることができるとともに、脚調節紐６の曲げられる部分における強度を高めることができ、紐案内筒４の損傷を防ぐことができる。
【００２４】
左右の腕３の各紐案内筒５の内部には、腕調節紐９が挿通されている。この腕調節紐９は、両腕３の紐案内筒５の胴体側端部の一方に一端部９ａが固定され、紐案内筒５内に挿通されて他端部が他方の胴体側端部から引き出されて背中側まで延びている。そして、背中に設けられた２つの透孔７から外部に引き出された当該左右の腕調節紐９の２つの他端部は、布片からなる腕紐連結部Ｂに縫い付けられている。
【００２５】
前記透孔７は、背中に設けられたポケット状の収納部１０の内部に互いに近接して配置されている。従って、脚２と腕３の調節紐６，９を効率よく速やかに引き出して脚２と腕３の長さを調節することができる。
【００２６】
上記のように透孔７から引き出された各調節紐６，９及びそれらの連結部Ａ，Ｂは、脚２又は腕３の長さを調節するとき以外には外部に露出しないように収納部１０に収納されるように構成されている。従って、調節紐６，９が何かに引っかかってしまうことを防止できる。
【００２７】
尚、前記腕調節紐９は、腕の先端部に固定された短い紐等からなるループ状のガイド１１に挿通されている。従って、腕調節紐９の引出しがスムーズに行われるとともに、紐を引いた状態を維持する強度を高めることができる。
そして、腕調節紐９は、前記脚調節紐６と同様に前記透孔７からウエア１の外側まで引き出されている。従って、着用者がウエア１を実際に着用した状態で脚２及び／又は腕３の寸法調節が可能である。
【００２８】
又、前記両連結部Ａ，Ｂは、色分けにより脚調節紐６か腕調節紐９かを容易に判断できるようにしてある。さらに、両連結部Ａ，Ｂは、左右の調節紐６，９を連結した場合に、その略中央部に配置されるようになっている。
尚、各紐案内筒４，５は、表地と裏地の間に配置されており、内部の紐６，９が着用者の指や足に直接触れることはないので、途中で部分的に途切れていてもよい。即ち、この案内筒４，５は、必ずしも連続していなくてもよい。
【００２９】
上記構成されたウエア１の使用方法について説明する。
着用者の脚と腕の長さに応じてウエア１の脚２の長さを変更するには、脚調節紐６の連結部Ａを収納している収納部１０から連結部Ａを取り出し、脚調節紐６を適宜の量だけ引き出す。そして、透孔７の付近で脚調節紐６を結びつければ、脚調節紐６が透孔７内に戻されてしまうことがないので、脚２の長さを短く調節した状態を維持できる。
【００３０】
このとき、左右の脚調節紐６は、略同じ長さとなるように連結部Ａにて互いに連結されているため、左右の脚２の脚調節紐６を同時にほぼ同量引き出すことができるので、左右の脚２の長さを同時に速やかに調節できる。
脚２の調節を終えた後は、透孔７外に引き出された脚調節紐６の連結部Ａ等を収納部１０内に収納し、調節紐６が引っかかったりしないようにしておく。
【００３１】
同様に、腕３の長さを変更するには、紐９の連結部Ｂを収納部１０から取り出し、腕調節紐９を適宜の量だけ引き出す。そして、透孔７の付近で腕調節紐９を結びつければ、腕調節紐９が透孔７内に戻されてしまうことがないので、腕３の長さを短く調節した状態を維持できる。ここで、脚と腕の両調節紐６，９を同時に引き出して両者を同時に結んでもよい。
【００３２】
さらに、本実施例の脚２の紐案内筒４は、各脚２の左右両端部の縫合部分にて互いに離間する位置に配置されるように設けられているため、脚２の一側面だけが引き上げられるといったアンバランスな状態を避けることができる。
同様に、腕３の紐案内筒５は、各腕３の前後の縫合部分にて互いに離間する位置に配置されるように設けられているため、腕３の一側面だけが引張られるといったアンバランスな状態を避けることができる。
【００３３】
本発明は、上記実施例に限定されるものではなく、各紐案内筒に対する紐の挿通方法を以下の変更例のように変更して実施してもよい。
変更例▲１▼
図５に示すように、腕３の調節紐９の一端部９ａを両腕の先端部に固定し、紐案内筒５内に挿通した後、他端部を背中側又は胸側まで引き出し、その両腕の調節紐６，９の引き出された４本の他端部同士を連結して連結部Ｂとする。
【００３４】
変更例▲２▼
同じく図５に示すように、脚２の紐案内筒４の胴体側端部の一方に、脚の調節紐６の一端部６ａを固定し、紐案内筒４内に挿通した後、他端部を他方の胴体側端部から引き出して背中側又は胸側まで延長する。そして、その両脚の調節紐６の引き出された２本の他端部同士を連結して連結部Ａとする。
【００３５】
変更例▲３▼
図６に示すように、両脚又は両腕の胴体側から先端部まで延設された左右一対の紐案内筒を設け、調節紐６，９の一端部６ａ，９ａを両脚又は両腕の先端部に固定し、それぞれ前記紐案内筒内に挿通した後、他端部を背中側又は胸側まで引き出し、その左右一対の調節紐６，９の引き出された２本の他端部同士を連結して連結部Ａ，Ｂとする。
【００３６】
変更例▲４▼
図７に示すように、スポーツウエア又は通常のズボンの脚２の長さのみを調節すべく、左右両脚の胴体側から先端部まで延設された左右一対の計４本の紐案内筒４を設け、脚調節紐６の一端部６ａを両脚の先端部に固定し、それぞれ前記紐案内筒４内に挿通した後、他端部を背中側又は胸側（腹の部分）まで引き出し、その左右一対の調節紐６の引き出された４本の他端部同士を連結して連結部Ａとする。この調節紐６の配置は、実施例１の配置と同様である。
この変更例は、腰の部分に設けられるループ状のガイドを省略している。
【００３７】
変更例▲５▼
図８に示すように、スポーツウエア又はジャケット等の腕３の長さのみを調節すべく、左右両腕の胴体側から先端部まで延設された左右一対の計４本の紐案内筒５を設け、腕調節紐９の一端部９ａを両腕３の先端部に固定し、それぞれ前記紐案内筒５内に挿通した後、他端部を背中側又は胸側まで引き出し、その左右一対の調節紐９の引き出された２本の他端部同士を連結して連結部Ｂとする。この調節紐９の配置は、実施例１の配置と同様である。
そして、腕の先端部には、ループ状のガイド１１を設けている。
【００３８】
本発明は、上記実施例に限定されるものではなく、例えば、上下一体型の衣服において、脚又は腕の長さのみを調節すべく、両脚又は両腕にのみ調節紐を配置して実施してもよく、又、調節紐の先端部を背中以外の部分（例えば、肩、腰、腹又は胸の部分等）から引き出して実施してもよく、さらに、調節紐を体の中心線に沿った部分以外の左右にずれた位置（腰、脇の下等）に設けてもよい。この場合、左右の紐の長さが異なっても、同時に引き出される量はほぼ同じになるため、左右の調節紐の長さを同時に調節できる。
【００３９】
さらに、連結部にストッパーを取り付けて寸法調節後の調節紐の長さを固定するようにして実施してもよい。
又、ループ状のガイド８，１１等を省略して実施したり、連結部の布片を省略して紐を単に連結させて実施したり、連結部の収納部を省略して実施したり、本発明の趣旨を逸脱しない範囲で各部の形状、寸法、材質、数量等を適宜変更して実施してもよい。
【００４０】
【発明の効果】
以上詳述したように、本発明においては、脚及び／又は腕の左右の調節紐を連結して一体化しているため、両脚又は両腕の長さの変更（調節）の容易な衣服を提供できるという優れた効果を奏する。
【００４１】
特に請求項１に記載の衣服は、上下一体型の衣服において、両脚の寸法を調節する際に、脚の紐案内筒内に挿通された脚調節紐の外部に引き出された他端部を適宜さらに引き出すことができる。このとき、その紐の他端部が脚紐連結部によって連結されているため、左右の脚調節紐を同時に略同量だけ簡単に引き出すことができる。そこで、脚調節紐を結んで、衣服内に戻らないようにすると、脚を短く調節した状態を維持することができる。
【００４２】
さらに、両腕の寸法を調節する際には、腕の紐案内筒内に挿通された腕調節紐の外部に引き出された他端部を適宜さらに引き出す。このとき、その紐の他端部が腕紐連結部によって連結されているため、左右の腕調節紐を同時に略同量だけ簡単に引き出すことができる。そこで、腕調節紐を結んで、衣服内に戻らないようにすると、腕を短く調節した状態を維持できる。
【００４３】
この衣服は、紐案内筒を互いに離間した位置を通るように往復させて設けているため、その内部の調節紐によって両脚及び両腕の長さをスムーズにバランス良く調節することができる。
【００４４】
請求項２に記載の衣服は、両脚の寸法を調節する際には、前記請求項１の発明と同様に脚の紐案内筒内に挿通された脚調節紐の他端部を適宜さらに引き出す。このとき、その紐の他端部が互いに連結されているため、左右の脚調節紐を同時に略同量だけ簡単に引き出すことができる。そこで、脚調節紐を結んで、衣服内に戻らないようにすると、脚を短く調節した状態を維持できる。
【００４５】
さらに、両腕の寸法を調節する際には、腕の紐案内筒内に挿通された腕調節紐の外部に引き出された他端部を適宜さらに引き出す。このとき、その紐の他端部が互いに連結されているため、左右の腕調節紐を同時に略同量だけ簡単に引き出すことができる。そこで、腕調節紐を結んで、衣服内に戻らないようにすると、腕を短く調節した状態を維持できる。
【００４６】
請求項３に記載の衣服は、調節紐の連結部を引き出すことにより、脚又は腕の長さを調節できる。さらに、この衣服は、請求項１又は２に記載の衣服と同様に、紐案内筒を互いに離間した位置を通るように往復させて設けているため、その内部の調節紐によって両脚又は両腕の長さをスムーズにバランス良く調節できる。
【００４８】
請求項４に記載の衣服は、調節紐の端部を容易に引き出すことができる。請求項５に記載の衣服は、衣服の使用中に、調節紐が何かに引っかかったりすることがなく安全である。又、１つの収納部内に調節紐をまとめて収納すれば、脚と腕の長さを効率よく速やかに調節できる。
【００４９】
【図面の簡単な説明】
【図１】  本発明のスポーツウエアの好適実施例の背面図である。
【図２】  本発明のスポーツウエアの一部切欠き正面図である。
【図３】  本発明のスポーツウエアのポケット内部を示す正面図である。
【図４】  本発明のスポーツウエアの調節紐を示す正面図である。
【図５】  本発明の別の実施例の調節紐を示す正面図である。
【図６】  本発明の別の実施例の調節紐を示す正面図である。
【図７】  本発明をズボンに具体化した実施例の正面図である。
【図８】  本発明をジャケットに具体化した実施例の正面図である。
【符号の説明】
１  スポーツウエア
２  脚
３  腕
４  紐案内筒
５  紐案内筒
６  脚調節紐
６ａ  一端部
７  透孔
８  ガイド
９  腕調節紐
９ａ  一端部
１０  収納部
１１  ガイド
Ａ  脚紐連結部
Ｂ  腕紐連結部
【図１】
0003909477.tif 000002
【図２】
0003909477.tif 000003
【図３】
0003909477.tif 000004
【図４】
0003909477.tif 000005
【図５】
0003909477.tif 000006
【図６】
0003909477.tif 000007
【図７】
0003909477.tif 000008
【図８】
0003909477.tif 000009